(57)【要約】【課題】  発熱塗料の塗りパターンを形成し、電源からの通電のみにより、被覆されたコンクリート表面の変状を的確に検知することができる被覆されたコンクリート表面の変状の検知方法を提供する。【解決手段】  被覆されたコンクリート表面の変状の検知方法において、被覆されたコンクリート表面上に発熱塗料の塗りパターン２を形成し、この発熱塗料の塗りパターン２にスイッチ４を介して電源３を接続し、前記発熱塗料の塗りパターン２を加熱して表面被覆材およびコンクリートを発熱させることで、赤外線撮像装置を用いた赤外線画像により、表面被覆された直接目視が困難なコンクリート表面の変状を検出する。【選択図】  図１
2012145475.tif 000002
【特許請求の範囲】
【請求項１】
（ａ）被覆されたコンクリート表面上に発熱塗料の塗りパターンを形成し、
（ｂ）該発熱塗料の塗りパターンにスイッチを介して電源を接続し、
（ｃ）前記発熱塗料の塗りパターンを加熱して表面被覆材およびコンクリートを発熱させることで、赤外線撮像装置を用いた赤外線画像により、表面被覆された直接目視が困難なコンクリート表面の変状を検出することを特徴とする被覆されたコンクリート表面の変状の検知方法。
【請求項２】
請求項１記載の被覆されたコンクリート表面の変状の検知方法において、前記発熱塗料の塗りパターンが、前記表面被覆材の表面に形成されることを特徴とする被覆されたコンクリート表面の変状の検知方法。
【請求項３】
請求項１又は２記載の被覆されたコンクリート表面の変状の検知方法において、前記発熱塗料の塗りパターンが一筆書きのパターンであることを特徴とする被覆されたコンクリート表面の変状の検知方法。
【請求項４】
請求項１又は２記載の被覆されたコンクリート表面の変状の検知方法において、前記被覆されたコンクリート表面がＲＣラーメン高架橋の下面であり、前記スイッチが遠隔操作スイッチであることを特徴とする被覆されたコンクリート表面の変状の検知方法。
【請求項５】
請求項１又は２記載の被覆されたコンクリート表面の変状の検知方法において、前記電源が携帯型の小型直流電源であることを特徴とする被覆されたコンクリート表面の変状の検知方法。
【請求項６】
請求項１又は２記載の被覆されたコンクリート表面の変状の検知方法において、前記電源が太陽電池であることを特徴とする被覆されたコンクリート表面の変状の検知方法。
【発明の詳細な説明】
【技術分野】
【０００１】
本発明は、被覆されたコンクリート表面の変状の検知方法に関するものである。
【背景技術】
【０００２】
従来、被覆されたコンクリート表面の変状の検知方法としては以下に開示されるようなものがあった。
（１）熱赤外線映像法を実橋としての道路橋の変状の調査に適用した方法（下記非特許文献１参照）。この例では、一般的な検査技術である目視観察のみでは困難であった変状の確認について、コンクリート主桁の表面被覆下の変状や、アスファルト舗装下の調整コンクリートの剥離を抽出できるようにしているしている。この方法は、対象橋梁を人為的に加熱・冷却することにより、調査にかかる時間短縮を可能とするとともに、データ解析の際に、差画像を用いることにより、変状のより明確な抽出を可能にしている。
【０００３】
（２）電磁誘導加熱を利用して非接触、非破壊にてコンクリート内部の鉄筋を加熱し、コンクリート表面に表れる温度変化を赤外線サーモグラフィで計測することによって、かぶり部分に存在する空洞箇所を非破壊で診断する方法（下記非特許文献２参照）。
（３）コンクリートの劣化に伴う表面剥離部を把握するため、構造物表面を強制的に加熱し、剥離部と健全部の温度差を赤外線画像により把握するアクティブ赤外線法による剥離検知方法（下記特許文献３および非特許文献３参照）。
【０００４】
（４）熱画像に基づいてコンクリートの剥離を診断するパッシブ赤外線法による剥離診断手法（下記特許文献１，２および非特許文献４参照）。熱画像による診断は温度を指標とするため、日照、気温などの環境条件に大きく影響されるので、この診断手法の適用可能条件を定量化している。
【先行技術文献】
【特許文献】
【０００５】
【特許文献１】特許第４４４８５５３号公報
【特許文献２】特開２００８−２３２８９８号公報
【特許文献３】特開２００８−２３２８９７号公報
【非特許文献】
【０００６】
【非特許文献１】浅利公博，後藤惠之輔，高橋洋一，渡邉浩平，「実道路橋変状調査への橋体の加熱および冷却を用いた熱赤外線映像法の適用」，土木構造・材料論文集，第２１号（２００５）
【非特許文献２】谷口修，重松文治，堀江宏明，大下英吉，「電磁誘導加熱を利用したコンクリート表面の温度性状に基づくＲＣ構造物の空洞検出システムの開発に関する研究」，土木学会論文集Ｅ，Ｖｏｌ．６４，Ｎｏ．１，ｐｐ．１７３−１８５（２００８）
【非特許文献３】大屋戸理明，田中寿志，鳥取誠一，栗田耕一，「強制加熱によるコンクリート剥離検知手法における照射出力と画像解析法の検討」，コンクリート工学論文集  第１８巻第３号，ｐｐ．３７−４５（２００７）
【非特許文献４】長田文博，山田裕一，虫明成生，赤松幸生，「熱画像による鉄道高架橋コンクリートの剥離診断手法の開発」，土木学会論文集，Ｎｏ．７６０／Ｖ−６３，ｐｐ．１２１−１３３（２００４）
【発明の概要】
【発明が解決しようとする課題】
【０００７】
しかしながら、上記したアクティブ赤外線法（上記特許文献３および非特許文献３参照）では、手間をかければ、強制加熱によって、被覆されたコンクリート表面の変状を検知できることは分かっているものの、作業時間や装置（ランプ、ジェットヒータ）に対する制約の問題などから、現場への適用が難しいのが現状である。また、パッシブ赤外線法（上記特許文献１，２および非特許文献４参照）では測定条件が限られている。また、昨今経年劣化した表面被覆されたコンクリート構造物が多くあり、表面被覆されたコンクリート表面の変状を直接目視などで確認することは困難であった。
【０００８】
本発明は、上記状況に鑑みて、外部電源により発熱する塗料を表面被覆材に塗って表面被覆材およびコンクリートを発熱させることで、赤外線カメラなどの赤外線撮像装置を用いた赤外線画像により、表面被覆され直接目視が困難なコンクリート表面の変状を検知する、被覆されたコンクリート表面の変状の検知方法を提供することを目的とする。
【課題を解決するための手段】
【０００９】
本発明は、上記目的を達成するために、
〔１〕被覆されたコンクリート表面の変状の検知方法において、被覆されたコンクリート表面上に発熱塗料の塗りパターンを形成し、この発熱塗料の塗りパターンにスイッチを介して電源を接続し、前記発熱塗料の塗りパターンを加熱して表面被覆材およびコンクリートを発熱させることで、赤外線撮像装置を用いた赤外線画像により、表面被覆された直接目視が困難なコンクリート表面の変状を検出することを特徴とする。
【００１０】
〔２〕上記〔１〕記載の被覆されたコンクリート表面の変状の検知方法において、前記発熱塗料の塗りパターンが、前記表面被覆材の表面に形成されることを特徴とする。
〔３〕上記〔１〕又は〔２〕記載の被覆されたコンクリート表面の変状の検知方法において、前記発熱塗料の塗りパターンが一筆書きのパターンであることを特徴とする。
〔４〕上記〔１〕又は〔２〕記載の被覆されたコンクリート表面の変状の検知方法において、前記被覆されたコンクリート表面がＲＣラーメン高架橋の下面であり、前記スイッチが遠隔操作スイッチであることを特徴とする。
【００１１】
〔５〕上記〔１〕又は〔２〕記載の被覆されたコンクリート表面の変状の検知方法において、前記電源が携帯型の小型直流電源であることを特徴とする。
〔６〕上記〔１〕又は〔２〕記載の被覆されたコンクリート表面の変状の検知方法において、前記電源が太陽電池であることを特徴とする。
【発明の効果】
【００１２】
本発明によれば、外部電源により発熱する塗料を表面被覆材に塗るという簡単な施工によって表面被覆材およびコンクリートを発熱させることで、表面被覆により目視が困難なコンクリート表面の変状を、赤外線カメラなどの赤外線撮像装置を用いた赤外線画像により的確に検知することができる。
【図面の簡単な説明】
【００１３】
【図１】本発明の実施例を示す被覆されたコンクリート表面であるスラブ下面に発熱塗料の塗りパターンが施工された状態を示す模式図である。
【図２】本発明の実施例を示す発熱塗料の塗りパターンの施工例（その１）である。
【図３】本発明の実施例を示す発熱塗料の塗りパターンの施工例（その２）である。
【発明を実施するための形態】
【００１４】
本発明の被覆されたコンクリート表面の変状の検知方法は、被覆されたコンクリート表面上に発熱塗料の塗りパターンを形成し、この発熱塗料の塗りパターンにスイッチを介して電源を接続し、前記発熱塗料の塗りパターンを加熱して表面被覆材およびコンクリートを発熱させることで、赤外線撮像装置を用いた赤外線画像により、表面被覆された直接目視が困難なコンクリート表面の変状を検出する。
【実施例】
【００１５】
以下、本発明の実施の形態について詳細に説明する。
図１は本発明の実施例を示す被覆されたコンクリート表面であるスラブ下面に発熱塗料の塗りパターンが施工された状態を示す模式図である。
この図において、１は被覆されたコンクリートであるスラブ（鉄筋コンクリートの床板、天井板、デッキ等）、２はスラブ下面１Ａの表面に形成される一筆書きの発熱塗料の塗りパターン、３は電源、４は発熱塗料の塗りパターン２に電源３からの電力を供給するスイッチ、５はスラブの梁である。
【００１６】
スラブ下面１Ａのコンクリート表面の変状の検知を行う場合、スイッチ４をオンにして、電源３からの電力をスラブ下面１Ａ上に形成された一筆書きの発熱塗料の塗りパターン２に供給する。すると、スラブ下面１Ａは一筆書きの発熱塗料の塗りパターン２の発熱により加熱されるので、例えば、画像解析法（上記非特許文献３，４参照）により、コンクリート剥離などの状態を検出することができる。
【００１７】
図２は本発明の実施例を示す発熱塗料の塗りパターンの施工例（その１）である。
この図において、１１は被覆されたコンクリートであるスラブ、１２はスラブ下面１１Ａの表面に形成される発熱塗料の塗りパターンであり、この発熱塗料の塗りパターン１２は、複数回折り返された細い長尺状の塗りパターンである。１３は、例えば、携帯型の小型直流電源、１４は発熱塗料の塗りパターン１２に携帯型の小型直流電源１３からの電力を供給する、小型直流電源１３と一体に配置されたスイッチである。したがって、施工、または取替えも容易である。
【００１８】
図３は本発明の実施例を示す発熱塗料の塗りパターンの施工例（その２）である。
この図において、２１は被覆されたコンクリートであるスラブ、２２はスラブ下面２１Ａの表面に形成される発熱塗料の塗りパターンであり、この発熱塗料の塗りパターン２２は、１回折り返された幅広の塗りパターンである。２３は、例えば、太陽電池の直流電源、２４は発熱塗料の塗りパターン２２に直流電源２３からの電力を供給するスイッチである。
【００１９】
なお、本発明は上記実施例に限定されるものではなく、本発明の趣旨に基づき種々の変形が可能であり、これらを本発明の範囲から排除するものではない。
【産業上の利用可能性】
【００２０】
本発明の被覆されたコンクリート表面の変状の検知方法は、簡易な施工により、表面被覆材により目視が困難なコンクリート表面の変状を的確に検知する方法として利用可能である。
【符号の説明】
【００２１】
１，１１，２１    スラブ
１Ａ，１１Ａ，２１Ａ    スラブ下面
２，１２，２２    発熱塗料の塗りパターン
３    電源
４，１４，２４    スイッチ
５    スラブの梁
１３    携帯型の小型直流電源
２３    太陽電池の直流電源
【図２】
2012145475.tif 000003
【図３】
2012145475.tif 000004
【図１】
2012145475.tif 000005